(57)【特許請求の範囲】
【請求項１】
熱源機から供給される温水と空気とを熱交換させて前記空気を加熱する熱交換器と、
浴室又は脱衣室の空気を前記熱交換器を介して循環させる循環装置と、
浴室又は脱衣室の天井に設置され、前記熱交換器及び循環装置を収納する本体と、
前記本体の壁面に設けられる給水口及び排水口と、
この給水口及び排水口を温水が循環するように前記熱交換器につなげる給水管及び排水管と、
前記本体の壁面に設けられる分流口及び合流口と、
この分流口と前記給水管とをつなげる分流管及び前記合流口と前記排水管とをつなげる合流管とを備え、
前記本体の熱交換器に供給される温水の一部を前記分流口及び合流口を介して前記本体を設置する室とは別の室に設置される機器へ分流可能に構成すると共に、前記給水口、排水口、分流口及び合流口のそれぞれを前記本体の壁面の同じ所にまとめて配置して成る給排水部を備えたことを特徴とする浴室暖房乾燥機。
【請求項２】
前記浴室暖房乾燥機が、浴室又は脱衣室の天井に配設されると共に、他方の室に設けられる機器へ前記分流口及び合流口を介して前記浴室暖房乾燥機に供給される温水を分流し、前記浴室暖房乾燥機及び前記機器が前記熱源機に対して並列接続されることを特徴とする請求項１記載の浴室暖房乾燥機。
【請求項３】
前記分流口及び合流口を介して分流される温水の量を調節する流量設定手段を設けたことを特徴とする請求項２記載の浴室暖房乾燥機。
【請求項４】
前記流量設定手段が、前記分岐管及び合流管の管径を前記熱交換器の給水管及び排水管の管径と同等又はそれ以上大きくすることにより構成したことを特徴とする請求項３記載の浴室暖房乾燥機。
【発明の詳細な説明】
【０００１】
【発明の属する技術分野】
本発明は、浴室や脱衣室（以下、浴室等という）を４方向吹出により暖房又は乾燥を行うことが可能な浴室暖房乾燥機に関する。
【０００２】
【従来の技術】
一般住宅における浴室等の温度は、まだ誰も入浴していない場合には、外気温とさほど変らないため、高齢者のように環境適応力が低下した人にとっては、冬場等における急激な温度変化が大きなヒートショックとなり、急激な血圧変動を引き起し死亡事故が発生することがある。
【０００３】
一方、近年住宅事情の変化により、浴室等の換気を十分に行うことができない場合があり、浴室等の壁や天井にカビが発生し易く、当該浴室等を乾燥できる手段が望まれている。
【０００４】
更に、住宅事情の変化により、洗濯物を乾かすための物干場を確保することが困難な場合も少なくなく、浴室等を物干場として使用することが提案されている。
【０００５】
かかる要求に対して、例えば特開平９−６６１９９号公報におけるような浴室暖房乾燥機が提案されている。
【０００６】
上記公報にかかる浴室暖房乾燥機１０は、図１０及び図１１に示すように、熱源機１１からの温水が循環する熱交換器１２、浴室等の空気を当該熱交換器１２を介して循環させるクロスフローファン１３、浴室等の空気を換気するための換気用ファン１４、クロスフローファン１３や換気用ファン１４に電力を供給する電源ブロック１８等を有している。
【０００７】
そして、当該浴室暖房乾燥機１０は、浴室等の天井に設けられた開口に設置され、天井裏で温水配管１６や排気ダクト１５が接続された構成となっている。
【０００８】
浴室暖房乾燥機１０、温水配管１６及び排気ダクト１５等の据付施工及びこれらのメンテナンスは、開口に隣接して設けられた点検口１７から天井裏に手を伸して、時には天井裏に入り込んで行うようになっている。
【０００９】
なお、浴室等に限らず一般的な部屋は、化粧板が野縁等により支持されて形成される天井、その上に設けらてネダ等により支持された天井（例えば、２階の床となるもの）とが存在し、これらで挟まれた空間が天井裏を構成している。そこで、本明細書では化粧板により貼られた天井を浴室天井等と記載し、その上の天井を本天井と記載する。
【００１０】
【発明が解決しようとする課題】
このように構成された浴室暖房乾燥機を浴室のみならず脱衣室に設けるような場合には、熱源機１１と各浴室暖房乾燥機１０とをそれぞれ独立に配管する必要があり、重複する配管が増えてしまう等の問題がある。
【００１１】
即ち、熱源機１１は一般に屋外に配設され、台所や洗面所等にも温水を供給するため、浴室や脱衣室の近くに設けられるとは限らない。一方、浴室と脱衣室とは隣接して設けられるので、浴室と脱衣室とに浴室暖房乾燥機を設けるような場合には、それぞれの浴室暖房乾燥機１０と熱源機１１とを接続する配管の大部分が並設されるようになり、部材コスト及び配管施工コストが高くなると共に、温水の熱損失（温水が配管を流動する際に周囲に逃げる熱）も大きくなってしまう問題がある。
【００１２】
そこで、本発明は、浴室や脱衣室等に浴室暖房乾燥機を設けても重複する配管等をなくすことにより施工時の低コスト化を図った浴室暖房乾燥機を提供することを目的とする。
【００１３】
【課題を解決するための手段】
上記課題を解決するため、請求項１にかかる発明は、熱源機から供給される温水と空気とを熱交換させて空気を加熱する熱交換器と、浴室又は脱衣室の空気を熱交換器を介して循環させる循環装置と、浴室又は脱衣室の天井に設置され、熱交換器及び循環装置を収納する本体と、本体の壁面に設けられる給水口及び排水口と、この給水口及び排水口を温水が循環するように熱交換器につなげる給水管及び排水管と、本体の壁面に設けられる分流口及び合流口と、この分流口と給水管とをつなげる分流管及び合流口と排水管とをつなげる合流管とを備え、本体の熱交換器に供給される温水の一部を前記分流口及び合流口を介して本体を設置する室とは別の室に設置される機器へ分流可能に構成すると共に、前記給水口、排水口、分流口及び合流口のそれぞれを前記本体の壁面の同じ所にまとめて配置して成る給排水部を備えたことを特徴とする。
【００１４】
請求項２にかかる発明は、浴室暖房乾燥機が、浴室又は脱衣室の天井に配設されると共に、他方の室に設けられる機器へ分流口及び合流口を介して浴室暖房乾燥機に供給される温水を分流し、浴室暖房乾燥機及び機器が熱源機に対して並列接続されることを特徴とする。
【００１５】
請求項３にかかる発明は、分流口及び合流口を介して分流される温水の量を調節する流量設定手段を設けたことを特徴とする。
【００１６】
請求項４にかかる発明は、流量設定手段が、分岐管及び合流管の管径を熱交換器の給水管及び排水管の管径と同等又はそれ以上大きくすることにより構成したことを特徴とする。
【００１７】
【発明の実施の形態】
本発明の実施の形態を図を参照して説明する。図１は本発明にかかる浴室暖房乾燥機の外観斜視図であり、図２はその組立分解斜視図、図３は当該浴室暖房乾燥機を浴室及び脱衣室に据付けたときの様子を示す図、図４は浴室天井に据付けられた浴室暖房乾燥機の側面図である。
【００１８】
当該浴室暖房乾燥機１００は、浴室等の空気を温水で加熱して当該浴室等を暖めると共に換気機構を備える本体１０１、該本体１０１の前面（浴室等の側）に据付られたグリル１０２、本体１０１を天井に据付るための据付装置１０３等を有している。
【００１９】
据付装置１０３は、野縁１０４等に固定される野縁固定具１０５、該野縁固定具１０５に本体１０１を垂下して、当該本体１０１を固定する吊下部材１０６等により構成されている。
【００２０】
野縁固定具１０５は、方形をなすアングルで、野縁１０４にネジ止めされる構成となっている。
【００２１】
吊下部材１０６は、図５に示すようにボルト１１０及びワッシャ１１１から構成されている。ボルト１１０は、先端に先端ネジ山部１１２が形成されると共に後端に後端ネジ山部１１３が形成され、かつ、これらの中間領域１１４の直径は、先端ネジ山部１１２及び後端ネジ山部１１３のネジ谷がなす直径より適宜小さくなっている。
【００２２】
一方、ワッシャ１１１は中央穴１１５まで切込１１６が形成されている。この切込１１６の寸法Ｄ１は、ボルト１１０の中間領域１１４の直径Ｄ２より適宜大きく、かつ、ボルト１１０の頭部がなす直径Ｄ３より適宜小さくなっており、Ｄ２＜切込１１６の幅＜後端ネジ山部１１３の外径＜Ｄ１＜Ｄ３の関係がある。
【００２３】
グリル１０２は図１、図２に示すように、４方の周辺部に第１〜第４吹出口２４０〜２４３を開閉するように第１〜第４ルーバ２４４〜２４７が設けられ、当該第１〜第４ルーバ２４４〜２４７により温風の吹出方向を設定するようになっている。
【００２４】
図６は本体１０１の内部構成を示す斜視図で、当該本体１０１は浴室等の空気を吸気して、これを温風にした後、再度浴室等に送風する加熱部１２８、該加熱部１２８からの温風を４つの第１〜第４吹出口２４０〜２４３に導く導風部１２９、浴室等の空気等を換気する換気部１３０、加熱部１２８や換気部１３０を駆動制御する制御部１３１等を有し、これらが本体ケース１３２内に収納されている。
【００２５】
加熱部１２８は、図７に示すように、３辺からなる概略「コ」字状に形成されて、浴室等の空気を図３に示す温水配管１３７を介して熱源機１３６から循環してきた温水と熱交換させる熱交換器１３８、浴室等の空気を吸気して熱交換器１３８を介して循環させる循環用送風機１３９等により構成されている。
【００２６】
また、図４に示すように本体１０１の壁面に設けられた給排水部２３０は、図７に示すように給水口２３１、分流口２３２、排水口２３４、合流口２３５から構成されている。
【００２７】
そして、図７に示す給水口２３１と分流口２３２及び排水口２３４と合流口２３５は、それぞれＵ字管１４４、１４５で連結され、当該Ｕ字管１４４、１４５の途中に熱交換器１３８の温水管（給水管、排水管）１４６が接続された構成となっている。
【００２８】
図７に示す実施例では、まず、給水口２３１と分流口２３２、排水口２３４と合流口２３５をＵ字管１４４、１４５でつなぎ、次いでこのＵ字管１４４、１４５に温水管（給水管、排水管）１４６をつなげて、Ｕ字管１４４、１４５の一部と温水管１４６で給水管、排水管を構成し、Ｕ字管１４４、１４５の残りの一部を分流管、合流管に対応させている。
【００２９】
尚、給水口２３１及び排水口２３４を温水管（給水管、排水管）１４６を用いて熱交換器１３８につなぎ、次いで温水管（給水管、排水管）１４６と分流口２３２、合流口２３５を分流管、合流管を用いて接続するように構成して良く、給水口２３１、分流口２３２、排水口２３４、合流口２３５と熱交換器１３８との間の配管接続は、これらに限るものではない。例えば分流口２３２と熱交換器とを配管でつなぎ、次いでこの配管から給水口２３１への分流配管を設けるように構成しても良い。
【００３０】
また、これら給水口２３１、分流口２３２、排水口２３４、合流口２３５と熱交換器１３８とをつなげる配管の管径は全て同じであるが、分流口２３２、合流口２３５につながれる機器までの配管長が長く、この配管長による温水の圧力損失を考慮する必要がある際には、分流口２３２、合流口２３５の管径を他の配管より太くしても良いものである。
【００３１】
このように配管径を変えることによって、分流口２３２、合流口２３５を介して機器へ供給される温水の量を調節することができるものである。また、この温水の量を積極的に調節する場合には、流量可変弁等を用いて予め設定して所定のアルゴリズムや手動のスイッチに応答してこの流量可変弁の開度を調節するようにしても良い。
【００３２】
図３は分流口２３２、合流口２３５に接続される機器として、もう１台の浴室暖房乾燥機を接続した状態を示す図であり、浴室暖房乾燥機１００を浴室と脱衣室とに設ける場合に、各浴室暖房乾燥機１００と熱源機１３６とを直列に配管接続すると、温水配管１３７が重複して用いられる領域が発生し、部材費用及び施工費用がかさむ問題に対処している。
【００３３】
即ち、一方の浴室暖房乾燥機１００（図３では脱衣室側の浴室暖房乾燥機１００）の給排水部２３０には、給水口２３１、分流口２３２、排水口２３４、合流口２３５が設けられて、両方の浴室暖房乾燥機１００を並列接続する。
【００３４】
そして、熱源機１３６から脱衣室側の浴室暖房乾燥機１００の給排水部２３０に温水を供給し、浴室側の浴室暖房乾燥機１００には、脱衣室側の浴室暖房乾燥機１００を経由して温水が供給されるようにすることにより、浴室側の浴室暖房乾燥機１００と熱源機とを接続する温水配管を不要にしている。
【００３５】
なお、給水口２３１側のＵ字管１４４に接続された温水管１４６の途中には、感熱弁１４９が設けられている。当該感熱弁１４９は、図示しない温度検出器により浴室等の温度を検出し、その検出結果に基づき熱交換器１３８に供給される湯量を調整している。これにより浴室等の温度が異常上昇することなく、所定範囲の温度になるように温度制御を行っている。
【００３６】
次に、上記構成の浴室暖房乾燥機１００の据付手順及び保守点検手順を図３に示す浴室と脱衣室とに浴室暖房乾燥機１００を据付、熱源機１３６からの温水は脱衣室の浴室暖房乾燥機１００に供給される場合を例に説明する。
【００３７】
また、浴室暖房乾燥機１００の据付は、既存住宅に据付る場合であって、浴室天井及び脱衣室天井の野縁１０４の間隔が６０ｃｍの場合について説明する。しかし、本発明は、これらに限定されるもので無く、新築住宅に据付けてもよいことは明らかである。
【００３８】
なお、野縁１０４には化粧天井板が固定されて、当該化粧天井板のメジの位置が野縁１０４の位置となっているものとする。
【００３９】
このような前提で据付手順や保守点検手順を説明するが、浴室等及び脱衣室における浴室暖房乾燥機１００の共通する据付手順等は、これらの区別を行わないで説明する。
【００４０】
先ず、浴室暖房乾燥機１００を据付るための据付開口２１２を浴室天井等に設ける。当該浴室暖房乾燥機１００の本体ケース１３２の寸法は例えば５３ｃｍとし、据付開口２１２は例えば５５ｃｍの正方形とする。なお、グリル１０２の寸法は野縁１０４の間隔より広い寸法で、例えば６１ｃｍとする。
【００４１】
規格住宅における野縁１０４間の最小幅が６０ｃｍであるので、上記寸法に設定するならば、どのような規格住宅でも据付けることができるようになり、野縁１０４の間を広げたりする作業及びそれに伴うコストが不要になる。
【００４２】
熱源機１３６からの温水配管１３７を脱衣室の浴室暖房乾燥機１００まで配管する。このとき、温水配管１３７は後述する理由から適宜長めに配管する。また、換気ダクト２１６を据付開口２１２の近傍まで配設しておく。さらに制御線２１３を配線しておく。
【００４３】
次に、野縁１０４に野縁固定具１０５を固定する。当該野縁固定具１０５のコーナーに設けた雌ネジに、ボルト１１０の先端ネジ山部１１２を螺合させて、当該ボルト１１０が据付開口２１２から吊下がった状態にしておく。
【００４４】
このような状態が完了した後、図８に示すように、浴室暖房乾燥機１００の本体１０１を持上げ、当該本体１０１の周辺４隅に設けられた吊下穴１７７にボルト１１０を通す。この吊下穴１７７はボルト１１０の頭より適宜大きく、かつ、ワッシャ１１１より小さく形成されている。
【００４５】
そして、ワッシャ１１１を切込１１６からボルト１１０に挿入し、当該ボルト１１０の頭にワッシャ１１１を当接させて本体１０１を下げる。吊下穴１７７はワッシャ１１１より小さいので、本体１０１はワッシャ１１１に当接して中吊状態となる。図９は、このときの様子を示す断面図である。
【００４６】
浴室等及び脱衣室の浴室暖房乾燥機１００をこのような中吊状態にした後、温水配管１３７の接続及び制御線２１３の接続を行う。
【００４７】
温水配管１３７は、適度にフレキシブルな樹脂管等が用いられ、かつ、長めに配管されているので、当該温水配管１３７の端部を浴室側等に引出して給排水部２３０に接続する。
【００４８】
このとき熱源機１３６からの温水配管１３７は脱衣室側の浴室暖房乾燥機１００における給水口２３１及び排水口２３４に接続され、分流口２３２及び合流口２３５は浴室の浴室暖房乾燥機１００における給水口２３３及び排水口２３６と接続される。
【００４９】
これにより温水配管１３７及び制御線２１３の接続が完了し、次に本体１０１を所定位置に固定する。当該本体１０１の固定は、ボルト１１０の先端ネジ山部１１２が雌ネジ１０７を越えるまで回して、雌ネジ１０７が中間領域１１４に位置するようにする。そこで、ボルト１１０を持上げて、後端ネジ山部１１３と雌ネジ１０７とを螺合させることにより行う。
【００５０】
本体１０１が所定位置に固定された後、制御室カバー１２７を取外し（予め取外しておいてもよい）、接続管連結口１８２から手を天井裏に差入れて、ダクトの先端に接続されたダクト接続管の取手部を把持して、ダクト接続管におけるダクト接続部を接続管連結口１８２に引込む。
【００５１】
そして、グリル１０２を本体１０１にネジ止めし、４つの第１〜第４ルーバ２４４〜２４７の角度を温風が適宜所望の方向に送風されるように調整して浴室暖房乾燥機１００の据付作業が完了する。
【００５２】
なお、据付装置１０３の状態、据付開口２１２の形成状態或は化粧天井板の固定状態等により、本体１０１が化粧天井板のメジと平行にならない場合がある。このとき、本体ケース１３２の端部とメジとは近接しているので、多少の非平行状態でも目立ってしまい微調整が必要になる。
【００５３】
しかし、本発明にかかるグリル１０２の寸法は、化粧天井板より大きめに設定されているので、かかる天井化粧板のメジが隠されて多少の非平行状態でも目立なくすることができるようになっている。
【００５４】
このようにして据付られた浴室暖房乾燥機１００の保守点検を行うときは、上述した据付手順を遡ることにより可能である。
【００５５】
【発明の効果】
以上説明したように請求項１にかかる発明によれば、本体の熱交換器に供給される温水の一部を分流口及び合流口を介して前記本体を設置する室とは別の室に設置される機器へ分流可能に構成すると共に、給水口、排水口、分流口及び合流口のそれぞれを前記本体の壁面の同じ所にまとめて配置して成る給排水部を備えたことにより、熱源機からの温水配管を重複して配設する必要が無くなり、部材費用及び施工費用を節約することができるようになる。即ち、施工費用に関しては、配管接続作業を同じところでまとめて行うことが可能となり、浴室と脱衣室との双方に浴室暖房乾燥機を設置する場合の配管接続作業性を高めることが可能となる。
【００５６】
請求項２にかかる発明によれば、複数の浴室暖房乾燥機における給排水部の少なくとも１つに分岐部を設けたので、温水の分岐が可能になり、複数の浴室暖房乾燥機を並列接続できる。これにより、熱源機からの温水配管を重複して配設する必要が無くなり、部材費用及び施工費用を節約することができるようになる。
【００５７】
請求項３にかかる発明によれば、流量設定手段により分岐部を介して流動する温水量が所定量になるようにしたので、複数の浴室暖房乾燥機を用いても、各浴室暖房乾燥機からの温風の温度を最適にすることが可能になる。
【００５８】
請求項４にかかる発明によれば、分岐管及び合流管の管径を熱交換器の給水管及び排水管の管径より大きくすることにより流量設定手段を構成したので、複数の浴室暖房乾燥機を用いても、簡便な構成で各浴室暖房乾燥機を流動する温水量が最適化でき、各浴室暖房乾燥機からの温風温度を最適にすることが可能になる。
【図面の簡単な説明】
【図１】本発明の実施の形態の説明に適用される浴室暖房乾燥機の斜視図である。
【図２】浴室暖房乾燥機の分解斜視図である。
【図３】浴室及び脱衣室に浴室暖房乾燥機を設けたときの模式図である。
【図４】浴室暖房乾燥機を据付けたときの側面図である。
【図５】吊下部材の構成図である。
【図６】浴室暖房乾燥機本体の内部構成を示す斜視図である。
【図７】熱交換器の斜視図である。
【図８】浴室暖房乾燥機本体の取付状況を示す模式図である。
【図９】浴室暖房乾燥機本体を据付けたときの側面図である。
【図１０】従来の技術の説明に適用される浴室暖房乾燥機を浴室に取付けたときの模式図である。
【図１１】従来の技術の説明に適用される浴室暖房乾燥機の構成図である。
【符号の説明】
１００  浴室暖房乾燥機
１０１  本体
１０２  グリル
１０３  据付装置
１０４  野縁
１２８  加熱部
１２９  導風部
１３０  換気部
１３２  本体ケース
１３６  熱源機
１３８  熱交換器
１３９  循環用送風機
１４４、１４５  Ｕ字管
１４６  温水管
１６１  導風部
１６２〜１６４  第１〜第３吹出窓
２３０  給排水部
２３１、２３３  給水口
２３２  分流口
２３４、２３６  排水口
２３５  合流口
２４０〜２４３  第１〜４吹出口
【図１】
0003751756.tif 000002
【図２】
0003751756.tif 000003
【図３】
0003751756.tif 000004
【図４】
0003751756.tif 000005
【図５】
0003751756.tif 000006
【図６】
0003751756.tif 000007
【図７】
0003751756.tif 000008
【図８】
0003751756.tif 000009
【図９】
0003751756.tif 000010
【図１０】
0003751756.tif 000011
【図１１】
0003751756.tif 000012